(57)【要約】【課題】筐体内部への塵埃の侵入を防ぎ、防塵フィルタ部の交換頻度を減らすプロジェクタを提供する。【解決手段】防塵フィルタ部４０は、吸気口２３を覆うように配置され、フィルタ本体４１とフィルタ枠４２とを有して構成されている。ダクトユニット５０は、ダクト５１０と、シロッコファン５２０と、スピーカ５３０とを有して構成され、吸気口２３の内側に配置されている。スピーカ５３０は、出力された音が防塵フィルタ部４０を介して吸気口２３から筐体の外部に放音されるように、ダクト５１０に取り付けられている。防塵フィルタ部４０は、ダクトユニット５０に対して、フィルタ枠４２の端部がダクト５１０の導入口５１１の内側に入るように着脱可能に装着され、音の出力に伴うスピーカ５３０の振動がダクト５１０を介して伝搬できるようになっている。【選択図】図５
2009042506.tif 000002
【特許請求の範囲】
【請求項１】
光源から射出された光束を画像信号に応じて変調して画像光を形成し、前記画像光を投写するプロジェクタであって、
外装を構成し、外気を取り込むための吸気口を有する筐体と、
前記吸気口から外気を吸気する吸気ファンと、
前記吸気口を覆うように配置され、該吸気口から前記筐体の内部に塵埃が侵入することを抑制する防塵フィルタ部と、
前記吸気口と前記吸気ファンの吸入口とを連通するダクトと、
入力される音声信号に応じて音を出力するスピーカと、
を備え、
前記スピーカは、該スピーカが出力した音が前記防塵フィルタ部を介して前記吸気口から前記筐体の外部に放音されるように、前記ダクトに取り付けられていることを特徴とするプロジェクタ。
【請求項２】
請求項１に記載のプロジェクタであって、
前記防塵フィルタ部は、前記ダクトに装着されていることを特徴とするプロジェクタ。
【請求項３】
請求項１に記載のプロジェクタであって、
前記防塵フィルタ部と前記ダクトとは、一体的に構成されていることを特徴とするプロジェクタ。
【請求項４】
請求項２または３に記載のプロジェクタであって、
前記防塵フィルタ部を振動させる所定の音に対応する音声情報を記憶する記憶部を備え、前記スピーカは、前記記憶部に記憶された前記音声情報に基づいて前記所定の音を出力することを特徴とするプロジェクタ。
【請求項５】
請求項４に記載のプロジェクタであって、
前記所定の音は、前記ダクトを共振させる音であることを特徴とするプロジェクタ。
【請求項６】
請求項４または５に記載のプロジェクタであって、
前記スピーカが前記所定の音を出力するように指示するための操作部を有することを特徴とするプロジェクタ。
【請求項７】
請求項６に記載のプロジェクタであって、
前記プロジェクタが所定の時間使用されたときに、前記操作部の操作を促す警告を発することを特徴とするプロジェクタ。
【発明の詳細な説明】
【技術分野】
【０００１】
本発明は、スピーカを備えたプロジェクタに関する。
【背景技術】
【０００２】
プロジェクタは、光源からの光束を、液晶ライトバルブなどの光変調部により画像信号に応じて変調し、変調された画像光をスクリーン等に投写する光学機器であり、企業内でのプレゼンテーションや、家庭内での映画鑑賞等の種々の用途に用いられている。また、画像光を投写するだけでなく、スピーカを内蔵して画像信号に付随する音声信号に応じた音を出力するプロジェクタも多く用いられている（特許文献１参照）。
プロジェクタの光源は、その点灯に伴って、光源自身や光変調部等の内部部品の温度上昇を招き、それらの部品の性能や機能を低下させる虞がある。内部部品の温度上昇を抑制するために、多くのプロジェクタは、筐体に吸気口が設けられ、その吸気口から外気を取り入れて内部部品を冷却している。その吸気口には外気に混在する塵埃が筐体内部に侵入しないように防塵フィルタが配置されている。
【０００３】
【特許文献１】特開２００４−２０５６６７号公報
【発明の開示】
【発明が解決しようとする課題】
【０００４】
しかしながら、特許文献１に記載のプロジェクタの筐体には、スピーカから出力された音が筐体の外部に放音されるように複数の孔（放音口）が形成されているため、この複数の孔から外気に混在する塵埃が筐体内部に侵入する虞がある。この筐体内部に侵入した塵埃が光変調部等の光学部品に付着すると、投写画像の画質が劣化するという問題がある。
また、多くのプロジェクタに備えられている防塵フィルタは、使用時間が経過するにつれて塵埃が蓄積されることにより、外気を取り込む能力が徐々に低下する。外気を取り込む能力が低下した際には、新しい防塵フィルタと交換する必要が生じる。このため、交換の作業が煩わしかったり、新しいフィルタが必要になることから費用が嵩んだりするという問題も有している。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、光源から射出された光束を画像信号に応じて変調して画像光を形成し、前記画像光を投写するプロジェクタであって、外装を構成し、外気を取り込むための吸気口を有する筐体と、前記吸気口から外気を吸気する吸気ファンと、前記吸気口を覆うように配置され、該吸気口から前記筐体の内部に塵埃が侵入することを抑制する防塵フィルタ部と、前記吸気口と前記吸気ファンの吸入口とを連通するダクトと、入力される音声信号に応じて音を出力するスピーカと、を備え、前記スピーカは、該スピーカが出力した音が前記防塵フィルタ部を介して前記吸気口から前記筐体の外部に放音されるように、前記ダクトに取り付けられていることを特徴とする。
【０００７】
この構成によれば、スピーカは、出力した音が防塵フィルタ部を介して吸気口から筐体の外部に放音されるように、ダクトに取り付けられている。このことによって、吸気口とは別にスピーカの放音口を筐体に形成することが不要になるので、外気に混在する塵埃が筐体の内部に侵入することを抑制することが可能となり、製品の長寿命化を図ることができる。
【０００８】
［適用例２］上記適用例に係るプロジェクタにおいて、前記防塵フィルタ部は、前記ダクトに装着されていることが好ましい。
【０００９】
この構成によれば、防塵フィルタ部は、ダクトに装着されているので、スピーカが音を出力することによって、ダクトを介して防塵フィルタ部を振動させて、防塵フィルタ部に付着した塵埃を剥落させることが可能となる。これによって、防塵フィルタ部は、長期に渡って、塵埃の侵入を抑制すると同時に外気を取り込む能力の低下を抑制することができるため、防塵フィルタ部の交換頻度を減らすことが可能となる。
【００１０】
［適用例３］上記適用例に係るプロジェクタにおいて、前記防塵フィルタ部と前記ダクトとは、一体的に構成されていることが好ましい。
【００１１】
この構成によれば、防塵フィルタ部とダクトとは一体的に構成されているので、防塵フィルタ部には、音の出力に伴うスピーカの振動がダクトを介して効率良く伝搬される。これによって、防塵フィルタ部を効率良く振動させて防塵フィルタ部に付着した塵埃を剥落させることが可能となる。
【００１２】
［適用例４］上記適用例に係るプロジェクタにおいて、前記防塵フィルタ部を振動させる所定の音に対応する音声情報を記憶する記憶部を備え、前記スピーカは、前記記憶部に記憶された前記音声情報に基づいて前記所定の音を出力することが好ましい。
【００１３】
この構成によれば、防塵フィルタ部を振動させる所定の音に対応する音声情報を記憶する記憶部を備え、スピーカは、記憶部からの音声情報に基づいて所定の音を出力する。このため、必要なときに記憶部から音声情報を取り出し、スピーカが所定の音を出力して、防塵フィルタ部に付着した塵埃を剥落させることが可能となる。
【００１４】
［適用例５］上記適用例に係るプロジェクタにおいて、前記所定の音は、前記ダクトを共振させる音であることが好ましい。
【００１５】
この構成によれば、スピーカは、ダクトを共振させる音を出力するので、防塵フィルタ部をさらに効率良く振動させて防塵フィルタ部に付着した塵埃を剥落させることが可能となる。
【００１６】
［適用例６］上記適用例に係るプロジェクタにおいて、前記スピーカが前記所定の音を出力するように指示するための操作部を有することが好ましい。
【００１７】
この構成によれば、スピーカが所定の音を出力するように指示するための操作部を有しているので、防塵フィルタ部に塵埃が付着したとき、使用者は簡単な操作で防塵フィルタ部に付着した塵埃を剥落させることが可能となる。
【００１８】
［適用例７］上記適用例に係るプロジェクタにおいて、前記プロジェクタが所定の時間使用されたときに、前記操作部の操作を促す警告を発することが好ましい。
【００１９】
この構成によれば、プロジェクタは、所定の時間使用されたときに、操作部の操作を促す警告を発するので、防塵フィルタ部に塵埃が付着して外気を取り込む能力が著しく低下する前に、スピーカに所定の音を出力させて、防塵フィルタ部に付着した塵埃を剥落させることが可能となる。これによって、筐体の内部の温度を長期に渡って安定して冷却することができる。
【発明を実施するための最良の形態】
【００２０】
（第１実施形態）
以下、第１実施形態に係るプロジェクタについて、図面を参照して説明する。
本実施形態のプロジェクタは、光源から射出された光束を画像信号に応じて変調して画像光を形成し、その画像光をスクリーン等に拡大投写する光学機器であり、光源の点灯に伴う温度上昇を抑制するために、筐体の内部に外気を取り入れて本体を冷却することができるようになっている。また、本実施形態のプロジェクタは、スピーカを内蔵しており、画像信号に付随する音声信号に応じて音声や音楽等の音を出力することが可能となっている。
【００２１】
図１および図２は、本実施形態のプロジェクタの外観を示す図であり、図１は、上方前面側から見た斜視図、図２は、下方背面側から見た斜視図である。
図１および図２に示すように、プロジェクタ１は、外装を構成する筐体１０で本体が囲まれた構成になっている。
筐体１０は、合成樹脂製であり、上部分を構成するアッパーケース１１と、下部分を構成するロアーケース１２と、背面部分の一部を構成するリアケース１３とを備えている。これらアッパーケース１１、ロアーケース１２およびリアケース１３は、ネジ等により固定されている。
【００２２】
アッパーケース１１は、上面１１Ａ、前面１１Ｂ、側面１１Ｃ，１１Ｄおよび背面１１Ｅを有して構成される。
図１に示すように、アッパーケース１１の前面１１Ｂには、略円形状の開口部１５が形成されている。そして、この開口部１５から画像光を拡大投写する投写レンズ７１０の前面が露出している。また、前面１１Ｂには、リモコン受光窓１９が形成されている。リモコン受光窓１９の内側には、操作部であるリモコン（図示せず）からの操作信号を受信するリモコン受光モジュール（図示せず）が配置されており、リモコンを用いてプロジェクタ１の遠隔操作を実施できるように構成されている。
【００２３】
アッパーケース１１の上面１１Ａには、開口部１６が形成されており、その開口部１６から投写レンズ７１０のフォーカス調整、およびズーム調整の操作を行うレバー７１１，７１２が露出している。また、上面１１Ａには、各種指示を行うための操作部である操作パネル１４と、ＬＥＤ（図示せず）からなるインジケータ部１８が備えられている。
【００２４】
アッパーケース１１の側面１１Ｄには、吸気口２３が形成されており、筐体１０の内部は、この吸気口２３から取り込まれた空気によって冷却される。また、吸気口２３には、防塵フィルタ部４０（図３参照）が配置されており、外気に混在する塵埃が筐体１０の内部に侵入することを抑制している。防塵フィルタ部４０の外側には、フィルタカバー４５が配置されている。
【００２５】
図２に示すように、アッパーケース１１の背面１１Ｅには、側面１１Ｄ寄りにリアケース１３を取り付ける開口部２４が形成されている。また、アッパーケース１１の側面１１Ｃには、排気口１７が形成されており、光源１１１（図３参照）の点灯等に伴って温まった筐体１０内の空気は、この排気口１７から外部に排出される。
【００２６】
ロアーケース１２は、底面１２Ａ、側面１２Ｃ，１２Ｄおよび背面１２Ｅを有して構成される。底面１２Ａには、側面１２Ｃと背面１２Ｅに近接する隅部に、光源装置１１０（図４参照）を収納するための矩形状の開口部２１が形成されている。開口部２１には、開口部２１を覆うランプカバー２２が着脱自在に設けられている。
【００２７】
リアケース１３は、ロアーケース１２の背面１２Ｅの内側に形成された図示しない溝部に嵌め込み式で固定され、アッパーケース１１の開口部２４を塞ぐように取り付けられている。リアケース１３には、アッパーケース１１の上面１１Ａ寄りに略矩形状の凹部１３１が形成されており、凹部１３１には、複数の孔１３２が設けられている。この孔１３２から、外部の電子機器と接続するための複数の接続端子１３５が露出しており、これらの接続端子１３５には、画像信号やこれに付随する音声信号が入力される。
【００２８】
次に、プロジェクタ１の概略構成について説明する。
図３は、プロジェクタ１の概略構成を示す平面図である。
図３に示すように、プロジェクタ１は、筐体１０と、略Ｌ字状の光学ユニット３０と、防塵フィルタ部４０と、フィルタカバー４５と、ダクトユニット５０と、排気ファン６０と、操作パネル１４と、インジケータ部１８と、制御基板８０とを有して構成されている。
【００２９】
光学ユニット３０は、光源１１１から射出された光束を、接続端子１３５を介して入力される画像信号に応じて変調して画像光を形成し、その画像光を投写レンズ７１０から拡大投写する。
【００３０】
ダクトユニット５０は、ダクト５１０、吸気ファンであるシロッコファン５２０およびスピーカ５３０を備えており、筐体１０の吸気口２３の内側に配置されている。そして、ダクトユニット５０は、吸気口２３から外気を取り込んで筐体１０の内部に導き、光源１１１の点灯等に伴って温まった筐体１０の内部を冷却する。スピーカ５３０は、接続端子１３５を介して入力される音声信号に応じた音声や音楽等の音を出力する。また、スピーカ５３０は、予め設定されている所定の音（振動発生音）を出力することが可能になっている。振動発生音は、特定の音量でダクト５１０を共振させる共振周波数を含んだ音であり、スピーカ５３０がこの振動発生音を出力することによって、防塵フィルタ部４０に付着した塵埃を剥落させることができる。
排気ファン６０は、軸流ファンによって構成されており、排気口１７の内側に配置され、筐体１０の内部の温まった空気を筐体１０の外に排気する。
【００３１】
操作パネル１４は、各種指示を行うための複数のキー等を備えている。そのキーには、各種設定を行うためのメニュー画像の表示／非表示を切り換えるメニューキー、入力ソースを切り換えるソース切換キー、スピーカ５３０が振動発生音を出力するように指示を行う振動出力キー等がある。
インジケータ部１８は、赤色および緑色のＬＥＤ（Light Emitting Diode）を有しており、そのＬＥＤの点灯、点滅によって、プロジェクタ１の各種状態を表示したり、各種警告を発したりする。例えば、筐体１０の内部が所定の温度を超えた場合には、赤色のＬＥＤを点灯させて警告を行うようになっている。
【００３２】
制御基板８０は、アッパーケース１１の側面１１Ｄ寄りに備えられ、光学ユニット３０の上方に配置されている（図３では、一部省略して示す）。制御基板８０は、制御部８４（図７参照）を有している。制御部８４は、ＣＰＵ（Central Processing Unit）やＲＯＭ（Read Only Memory）、ＲＡＭ（Random Access Memory）等を備え、コンピュータとして機能するものであり、プロジェクタ１の動作の制御、例えば、画像の投写に関わる制御、シロッコファン５２０および排気ファン６０の回転速度制御、操作パネル１４のキー操作に応じたスピーカ５３０の出力制御、インジケータ部１８の表示制御等を行う。
【００３３】
ここで、光学ユニット３０の詳細を説明する。
図４は、光学ユニット３０の概略構成を示す平面図である。
図４に示すように、光学ユニット３０は、照明光学部１００と、色分離光学部２００と、平行化レンズ２４０Ｒ，２４０Ｇ，２４０Ｂと、リレー光学部３００と、光変調部である液晶ライトバルブ４００Ｒ，４００Ｇ，４００Ｂと、クロスダイクロイックプリズム４５０と、投写光学部７００とを備えている。
【００３４】
照明光学部１００は、光源装置１１０と、第１のレンズアレイ１２０と、第２のレンズアレイ１３０と、偏光変換素子１４０と、重畳レンズ１５０とを有している。
光源装置１１０は、光源１１１、リフレクタ１１２、光源１１１とリフレクタ１１２とを収容して固定する光源用筐体１１４、光束を射出するために光源用筐体１１４に設けられた開口部を覆う前面ガラス１１３等を備えて構成されている。
光源１１１から射出された放射状の光束は、リフレクタ１１２で反射されて略平行光束となり、前面ガラス１１３を透過して第１のレンズアレイ１２０へと射出される。本実施形態では、光源１１１として、超高圧水銀ランプを採用し、リフレクタ１１２として、放物面鏡を採用している。なお、光源１１１としては、超高圧水銀ランプに限らず、例えばメタルハライドランプ等を採用してもよい。また、リフレクタ１１２としては、放物面鏡に限らず、楕円面鏡からなるリフレクタの射出面に平行化凹レンズを配置した構成を採用してもよい。
【００３５】
光源１１１から射出された光束は、第１のレンズアレイ１２０によって複数の微小な部分光束に分割され、各部分光束は、第２のレンズアレイ１３０および重畳レンズ１５０によって照明対象である３つの液晶ライトバルブ４００Ｒ，４００Ｇ，４００Ｂの表面で重畳される。第１のレンズアレイ１２０および第２のレンズアレイ１３０は、小レンズをマトリクス状に配列して形成されている。
偏光変換素子１４０は、ランダム偏光の光束を３つの液晶ライトバルブ４００Ｒ，４００Ｇ，４００Ｂで利用可能な偏光方向を有する偏光光に揃える機能を有している。
【００３６】
色分離光学部２００は、照明光学部１００から射出された光束を、それぞれ異なる波長域の３色の光束に分離する機能を有している。第１のダイクロイックミラー２１０は、赤色光成分（以下「Ｒ光」という。）を反射させると共に、緑色光成分（以下「Ｇ光」という。）および青色光成分（以下「Ｂ光」という。）を透過する。第１のダイクロイックミラー２１０で反射したＲ光は、反射ミラー２３０で反射され、平行化レンズ２４０Ｒを透過してＲ光用の液晶ライトバルブ４００Ｒを照明する。平行化レンズ２４０Ｒは、照明光学部１００からの複数の部分光束を、それぞれ液晶ライトバルブ４００Ｒを照明するように集光する。通常、各部分光束が、それぞれ略平行な光束となるように設定されている。他の液晶ライトバルブ４００Ｇ，４００Ｂの前に配設された平行化レンズ２４０Ｇ，２４０Ｂも、平行化レンズ２４０Ｒと同様の機能を有している。
【００３７】
第２のダイクロイックミラー２２０は、Ｇ光を反射させると共に、Ｂ光を透過する。このため、第１のダイクロイックミラー２１０を透過したＧ光とＢ光のうちＧ光は、第２のダイクロイックミラー２２０によって反射され、平行化レンズ２４０Ｇを透過してＧ光用の液晶ライトバルブ４００Ｇを照明する。一方、Ｂ光は、第２のダイクロイックミラー２２０を透過し、リレー光学部３００を通過して、さらに平行化レンズ２４０Ｂを通って、Ｂ光用の液晶ライトバルブ４００Ｂを照明する。
【００３８】
リレー光学部３００は、入射側レンズ３１０、入射側反射ミラー３２０、リレーレンズ３３０および射出側反射ミラー３４０を有している。色分離光学部２００から射出されたＢ光は、入射側レンズ３１０によってリレーレンズ３３０近傍で収束し、平行化レンズ２４０Ｂ（射出側反射ミラー３４０）に向かって発散する。平行化レンズ２４０Ｂに入射する光束の大きさは、入射側レンズ３１０に入射する光束の大きさに略等しくなるように設定されている。このように、Ｂ光にリレー光学部３００が用いられているのは、Ｂ光の光路の長さが他の色光の光路の長さよりも長いため、光の発散等による光の利用効率の低下を防止するためである。なお、リレー光学部３００は、３つの色光の中で、Ｂ光を通す構成としたが、これに限らず、例えば、Ｒ光を通す構成としてもよい。
【００３９】
液晶ライトバルブ４００Ｒ，４００Ｇ，４００Ｂは、それぞれ透過型の液晶パネルとその両面に配置された入射側偏光板、射出側偏光板を有して構成されている。液晶ライトバルブ４００Ｒ，４００Ｇ，４００Ｂは、それぞれの表面に入射した各色光を、それぞれに対応する画像信号に応じて変調し、各色光の画像光を形成してクロスダイクロイックプリズム４５０に射出する。
クロスダイクロイックプリズム４５０は、液晶ライトバルブ４００Ｒ，４００Ｇ，４００Ｂから射出された各色光の画像光を合成して、カラー画像を表す画像光を形成し、投写光学部７００に射出する。
投写光学部７００は、投写レンズ７１０を有し、クロスダイクロイックプリズム４５０からの画像光をスクリーン等に拡大投写する。
【００４０】
次に、防塵フィルタ部４０およびダクトユニット５０の構成について詳細に説明する。
図５、図６は、プロジェクタ１の断面図であり、図５は、図３におけるＡ−Ａ断面図、図６は、図３におけるＢ−Ｂ断面図である。
【００４１】
図５に示すように、防塵フィルタ部４０は、吸気口２３を覆うように配置され、フィルタ本体４１とフィルタ枠４２とを有して構成されている。フィルタ本体４１は、略直方体の形状を有しており、塵埃の通過を抑制する。なお、フィルタ本体４１は、人間の可聴域の音を通す。フィルタ枠４２は、合成樹脂で形成されており、フィルタ本体４１の周縁部を囲んでフィルタ本体４１を保持している。
【００４２】
ダクトユニット５０は、ダクト５１０と、シロッコファン５２０と、スピーカ５３０とを有して構成され、吸気口２３の内側に配置されてロアーケース１２に固定されている（固定は図示せず）。
ダクト５１０は、略直方体の箱状であり、吸気口２３に近接する面５１０Ａには、吸気口２３から取り込まれた空気を導入する導入口５１１が形成され、底面側の面５１０Ｂには、導入口５１１と連通する通気口５１２が形成されている。シロッコファン５２０は、空気を取り込む吸入口５２１と、取り込んだ空気を排出する排出口５２２とを備えている。そして、シロッコファン５２０は、ダクト５１０の面５１０Ｂに取り付けられ、その吸入口５２１は、ダクト５１０の通気口５１２と連通している。このように、ダクト５１０は、吸気口２３とシロッコファン５２０の吸入口５２１とを連通して、吸気口２３から取り込まれた外気を吸入口５２１に導く。
【００４３】
スピーカ５３０は、出力された音が防塵フィルタ部４０を介して吸気口２３から筐体１０の外部に放音されるようにダクト５１０に取り付けられている。また、スピーカ５３０は、音の出力に伴う振動がダクト５１０に伝搬されるように取り付けられている。具体的には、スピーカ５３０は、ダクト５１０の面５１０Ａと反対側の面５１０Ｃに、吸気口２３に向けて音を出力するようにネジ固定（図示せず）されている。面５１０Ｃには、放音口５１３が形成されている。このように、スピーカ５３０から出力された音は、直接、吸気口２３に向かうので、音が遮られたり、反射したりすることが抑制されて、吸気口２３から外部に放音される。なお、シロッコファン５２０およびスピーカ５３０は、制御基板８０にそれぞれケーブル（図示せず）を介して接続されている。
【００４４】
防塵フィルタ部４０は、ダクトユニット５０に対して、フィルタ枠４２の端部がダクト５１０の導入口５１１の内側に入るように着脱可能に装着され、音の出力に伴うスピーカ５３０の振動がダクト５１０を介して防塵フィルタ部４０に伝搬されるようになっている。また、防塵フィルタ部４０の外側には、フィルタカバー４５が配置されている。フィルタカバー４５は、外気を通す細長い矩形状の複数の孔４５Ａが形成されており、フィルタ本体４１を保護すると共に、プロジェクタ１の外観を向上させている。なお、フィルタカバー４５の孔４５Ａの断面は、外側が広がるように傾斜した形状を有している。
【００４５】
図６に示すように、シロッコファン５２０の排出口５２２側には、ダクト８００が配置されている。ダクト８００は、合成樹脂製であり、シロッコファン５２０の排出口５２２から液晶ライトバルブ４００Ｒ，４００Ｇ，４００Ｂの下方にわたって形成されている（図６において、液晶ライトバルブ４００Ｇは図示せず）。ダクト８００は、箱状であり、その１つの側面には、開口部８００Ａが形成され、天面には、３つの孔８００Ｂ（図示は２つのみ）が形成されている。開口部８００Ａは、シロッコファン５２０の排出口５２２を囲み、３つの孔８００Ｂは、それぞれ液晶ライトバルブ４００Ｒ，４００Ｇ，４００Ｂの下方に位置するように形成されている。
【００４６】
ここで、吸気口２３から取り込まれた空気の流れについて説明する。
図５に示すように、吸気口２３から防塵フィルタ部４０を介して取り込まれた空気は、ダクト５１０によってシロッコファン５２０の吸入口５２１に導かれる（空気の流れＦ１〜Ｆ２）。防塵フィルタ部４０は、外気が通過する際に、外気に混在する塵埃をフィルタ本体４１の面４１Ａに付着させて、塵埃が筐体１０の内部に侵入することを抑制する。
【００４７】
図６に示すように、シロッコファン５２０の吸入口５２１に導かれた空気は、シロッコファン５２０によって吸気されて、排出口５２２から排出される（流れＦ３）。排出口５２２から排出された空気は、ダクト８００によって導かれ、孔８００Ｂから排出されて（流れＦ４）、液晶ライトバルブ４００Ｒ，４００Ｇ，４００Ｂを冷却して上方に流れる（流れＦ５）。このようにして、吸気口２３から取り込まれた空気は、液晶ライトバルブ４００Ｒ，４００Ｇ，４００Ｂを冷却する。
【００４８】
液晶ライトバルブ４００Ｒ，４００Ｇ，４００Ｂを冷却して上方に流れた空気および光源１１１の点灯等に伴って温まった筐体１０の内部の空気は、排気ファン６０によって排気口１７から筐体１０の外に排気される（図３における流れＦ６〜Ｆ７）。
【００４９】
次に、防塵フィルタ部４０に付着した塵埃を剥落させる際の動作について説明する。
図７は、その動作を説明するブロック図である。
図７に示すように、プロジェクタ１は、塵埃を剥落させる動作に関する構成要素として、上述した操作パネル１４、インジケータ部１８、制御部８４、スピーカ５３０の他に、記憶部８１、音声処理部８２および温度検知部８３を備えている。
【００５０】
記憶部８１には、スピーカ５３０が出力する振動発生音に対応する音声情報が予め記憶されている。
音声処理部８２は、接続端子１３５を介して入力される音声信号に対して、音質調整等の処理を施し、処理後の音声信号（第１の音声信号）を、図示しない増幅回路によって増幅してスピーカ５３０に出力する。また、音声処理部８２は、記憶部８１に記憶されている音声情報に応じた音声信号（第２の音声信号）を、第１の音声信号の代わりに出力することも可能になっており、制御部８４の指示に応じて、第１の音声信号と第２の音声信号のいずれか一方をスピーカ５３０に出力する。
温度検知部８３は、温度センサを備えており、筐体１０の内部に配置されて温度を検知して検知信号を制御部８４に伝達する。
【００５１】
プロジェクタ１が通常使用されるときには、音声処理部８２は、制御部８４からの指示に応じて第１の音声信号をスピーカ５３０に出力する。スピーカ５３０は、接続端子１３５を介して入力される音声信号に応じた音声や音楽等の音を出力する。
【００５２】
プロジェクタ１が長期間使用されると、フィルタ本体４１の面４１Ａには、塵埃が徐々に蓄積されていき、防塵フィルタ部４０は、外気を取り込む能力が徐々に低下していく。防塵フィルタ部４０の外気を取り込む能力が低下すると、筐体１０の内部の温度は次第に上昇する。そして、温度検知部８３が所定の温度を超えたことを検知すると、制御部８４は、インジケータ部１８（図１参照）に警告を発するように指示を出す。インジケータ部１８は、制御部８４からの指示を受けて、赤色のＬＥＤを点灯させることにより、操作パネル１４の振動出力キーの操作を促す。
【００５３】
ここで、操作パネル１４に備わる振動出力キーが操作されると、制御部８４は、音声処理部８２に指示をして、第１の音声信号の代わりに、第２の音声信号をスピーカ５３０に出力させる。スピーカ５３０は、第２の音声信号に対応した振動発生音を出力し、ダクト５１０は、その振動発生音によって共振する。そして、防塵フィルタ部４０は、ダクト５１０の共振が伝搬されて振動する。そして、フィルタ本体４１の面４１Ａに付着している塵埃は、フィルタ本体４１から剥落する。この結果、防塵フィルタ部４０は、外気を取り込む能力が回復して、筐体１０内は、取り込まれた空気によって冷却されて、適正な温度に保たれる。
【００５４】
その後、振動出力キーが再び操作されると、制御部８４は、音声処理部８２に指示をして、第２の音声信号の代わりに、第１の音声信号をスピーカ５３０に出力させる。スピーカ５３０は、再び接続端子１３５を介して入力される音声信号に応じた音を出力する。
【００５５】
以上説明したように、本実施形態のプロジェクタ１によれば、以下の効果を得ることができる。
（１）本実施形態のプロジェクタ１によれば、スピーカ５３０は、出力した音が防塵フィルタ部４０を介して吸気口２３から筐体１０の外部に放音されるようにダクト５１０に取り付けられているので、吸気口２３とは別にスピーカ５３０の放音口を筐体１０に形成することが不要になる。これによって、外気に混在する塵埃が筐体１０の内部に侵入することを抑制することが可能となり、製品の長寿命化を図ることができる。また、スピーカ５３０がダクト５１０に取り付けられていることによって、スピーカ５３０を固定する部材を新たに設ける必要がないので、部品点数を減らすことが可能となる。
【００５６】
（２）本実施形態のプロジェクタ１によれば、スピーカ５３０がダクト５１０に取り付けられているので、ダクト５１０は、スピーカ５３０が音を出力することによって、その出力に応じて振動する。また、防塵フィルタ部４０は、音の出力に伴うスピーカ５３０の振動がダクト５１０を介して伝搬するようにダクト５１０に装着されている。これらから、スピーカ５３０が音を出力することによって、防塵フィルタ部４０を振動させることができるので、防塵フィルタ部４０に付着した塵埃を剥落させることが可能となる。これによって、防塵フィルタ部４０は、長期に渡って、塵埃の侵入を抑制すると同時に外気を取り込む能力の低下を抑制することができるため、防塵フィルタ部４０の交換頻度を減らすことが可能となる。
【００５７】
（３）本実施形態のプロジェクタ１によれば、音声情報を記憶する記憶部８１を備え、その記憶部８１には、防塵フィルタ部４０に付着した塵埃を剥落させることが可能な振動を発生させる振動発生音に対応する音声情報が記憶されている。そして、スピーカ５３０は、振動出力キーの操作に応じて記憶部８１に記憶されている音声情報に基づいて振動発生音を出力する。このため、必要なときに記憶部８１に記憶されている音声情報を取り出し、スピーカ５３０が振動発生音を出力して、防塵フィルタ部４０に付着した塵埃を剥落させることが可能となる。
【００５８】
（４）本実施形態のプロジェクタ１によれば、スピーカ５３０は、ダクト５１０を共振させる振動発生音を出力するので、ダクト５１０に装着されている防塵フィルタ部４０を効率よく振動させて、防塵フィルタ部４０に付着した塵埃を剥落させることが可能となる。
【００５９】
（５）本実施形態のプロジェクタ１によれば、スピーカ５３０が所定の音を出力するように指示するための操作パネル１４を有しているので、防塵フィルタ部４０に塵埃が多く付着したとき、使用者は簡単な操作で防塵フィルタ部４０に付着した塵埃を剥落させることが可能となる。
【００６０】
（６）本実施形態のプロジェクタ１によれば、スピーカ５３０は、吸気口２３に向けて音を出力するように取り付けられている。これによって、スピーカ５３０から出力された音は、直接、吸気口２３に向かうので、音が遮られたり、反射したりすることによる音の劣化が抑制されて、吸気口２３から外部に放音される。
【００６１】
（７）本実施形態のプロジェクタ１によれば、スピーカ５３０がダクト５１０に取り付けられているので、筐体１０に取り付けられている場合に比べて、制御基板８０に接続するケーブルの長さを短くして適切に配線することができる。これによって、プロジェクタ１の組み立てが容易になると共に、電磁ノイズや温度の影響を受けることが抑制される。
【００６２】
（第２実施形態）
次に、第２実施形態に係るプロジェクタ１について、図面を参照して説明する。
本実施形態のプロジェクタ１は、吸気口２３の内側に吸気ユニット９０を備えている。
図８は、本実施形態の吸気ユニット９０の断面図である。
図８に示すように、吸気ユニット９０は、フィルタ本体４１、シロッコファン５２０、スピーカ５３０およびダクト９１を有して構成されている。ダクト９１は、第１実施形態における防塵フィルタ部４０のフィルタ枠４２、ダクトユニット５０のダクト５１０およびフィルタカバー４５が一体的に形成されたものであり、フィルタ本体４１は、その周縁部がダクト９１の内壁に保持されている。このように、吸気ユニット９０は、第１実施形態における防塵フィルタ部４０とダクト５１０とが一体的に構成された部材に、シロッコファン５２０およびスピーカ５３０を取り付けたものである。
【００６３】
スピーカ５３０の音の出力に関する構成要素およびその動作は、第１実施形態と同様であるが、記憶部８１（図７参照）に予め記憶されている音声情報は、第１実施形態とは異なる音声情報であり、ダクト９１を共振させる振動発生音に対応する音声情報である。この音声情報が第１実施形態の音声情報と異なるのは、吸気ユニット９０の重量、形状等がダクトユニット５０の重量、形状等と異なるため、ダクト９１を共振させる音がダクト５１０を共振させる音と異なるためである。
【００６４】
第１実施形態と同様に、プロジェクタ１が長期間使用され、フィルタ本体４１に塵埃が付着して筐体１０の内部の温度が上昇すると、インジケータ部１８が操作パネル１４の振動出力キーの操作を促す。ここで、操作パネル１４の振動出力キーが操作されると、スピーカ５３０は、接続端子１３５を介して入力される音声信号に応じた音声や音楽等の音（第１の音声信号に対応した音）を出力している状態から、第２の音声信号に対応した振動発生音を出力する状態に切り換わる。そうすると、ダクト９１が共振してフィルタ本体４１は、その共振が伝搬されて振動する。そして、フィルタ本体４１の面４１Ａに付着している塵埃は、面４１Ａから剥落する。この結果、防塵フィルタ部４０は、外気を取り込む能力が回復して、筐体１０内は、取り込まれた空気によって冷却されて、適正な温度に保たれる。
【００６５】
以上説明したように、本実施形態のプロジェクタ１によれば、以下の効果を得ることができる。
スピーカ５３０は、ダクト９１に取り付けられ、防塵フィルタ部４０とダクト９１とが一体的に構成されているので、フィルタ本体４１には、スピーカ５３０が振動発生音を出力することによるダクト９１の振動が効率良く伝搬される。そして、フィルタ本体４１を効率良く振動させることができるので、フィルタ本体４１に付着した塵埃を効率良く剥落させることが可能となる。これによって、フィルタ本体４１は、長期に渡って、塵埃の侵入を抑制すると同時に筐体１０の内部を冷却する外気を取り込むことができる。
また、防塵フィルタ部４０、ダクト９１およびフィルタカバー４５を一体的に構成しているので、吸気ユニット９０を部品点数が少なく構成することができる。
【００６６】
（変形例）
なお、前記実施形態は、以下のように変更してもよい。
スピーカ５３０から出力される所定の音は、ダクト５１０，９１を共振させる共振周波数を含んだ音に限らない。所定の音は、ホワイトノイズ等の多数の周波数を含んでもよいし、スウィープする音であってもよい。所定の音は、フィルタ本体４１に付着した塵埃が剥落するように防塵フィルタ部４０を振動させる音であればよい。また、スピーカ５３０から出力される所定の音は、人間の可聴域外であってもよい。これによって、フィルタ本体４１の塵埃を剥落させる際に、使用者、視聴者等に不快感を与えることを抑制することができる。
【００６７】
前記実施形態では、所定の音に対応する音声情報を記憶部８１に予め記憶させておき、振動出力キーの操作に応じてその音声情報を取り出して、スピーカ５３０から出力させているが、外部機器から接続端子１３５を介してその音声情報を入力し、スピーカ５３０から出力させる態様であってもよい。例えば、所定の音に対応する音声情報を含んだＣＤ（Compact Disc）を用いて、外部機器によりその音声情報を接続端子１３５を介してプロジェクタ１に入力し、スピーカ５３０がその音声情報に対応する音を出力すること等である。
【００６８】
前記実施形態では、ダクトユニット５０は、光変調部である液晶ライトバルブ４００Ｒ，４００Ｇ，４００Ｂを冷却しているが、光変調部以外の光学部品、光源１１１、光源１１１を点灯するための光源駆動回路、電力を供給するための電源部等（いずれも図示せず）を冷却する構成でもよい。
【００６９】
前記実施形態では、吸気口２３を筐体１０の側面１１Ｄ側に形成し、その内側にダクトユニット５０を配置しているが、他の位置、例えば、吸気口２３を筐体１０の背面１１Ｅ側に形成し、その内側にダクトユニット５０を配置してもよい。このことによって、視聴者がプロジェクタ１の背面側に位置する場合、視聴者は、スピーカ５３０が出力する音を聞きとりやすくなる。
【００７０】
前記実施形態では、シロッコファン５２０は、ダクト５１０の下部に配置されているが、背面側のダクト５１０の面あるいは正面側のダクト５１０の面に通気口５１２を形成し、その面にシロッコファン５２０が取り付けられていてもよい。また、シロッコファン５２０は、ダクト５１０に取り付けられているが、ロアーケース１２に取り付けられていてもよい。
【００７１】
前記実施形態のシロッコファン５２０の代わりに軸流ファンを使用してもよい。
【００７２】
前記実施形態のフィルタ本体４１は、繊維層からなるシート状のフィルタをプリーツ状に加工したものであってもよい。
【００７３】
前記実施形態では、スピーカ５３０が所定の音を出力するように指示するために、操作パネル１４を用いているが、リモコンに振動出力キーを備えて、その操作によって指示をしてもよい。
【００７４】
前記実施形態では、操作パネル１４の操作に基づいて、音声処理部８２が第１と第２の音声信号とを切り換えてスピーカ５３０に出力しているが、温度検知部８３の検知信号に基づいて、音声処理部８２が第１と第２の音声信号とを切り換えて出力してもよい。
【００７５】
前記実施形態では、筐体１０の内部の温度が所定の温度を超えた場合にインジケータ部１８が操作パネル１４の操作を促すように警告を発しているが、プロジェクタ１が所定の時間使用されたときに、インジケータ部１８が警告を発してもよい。これによって、防塵フィルタ部４０に塵埃が多く付着して外気を取り込む能力が著しく低下する前に、防塵フィルタ部４０に付着した塵埃を剥落させることが可能となるので、筐体１０の内部の温度を長期に渡って安定して冷却することができる。
【００７６】
前記実施形態では、操作パネル１４の操作を促す警告をインジケータ部１８によって行っているが、プロジェクタ１から警告メッセージを投写してもよい。
【００７７】
前記実施形態では、光変調部として透過型の液晶ライトバルブ４００Ｒ，４００Ｇ，４００Ｂを用いているが、反射型の液晶ライトバルブを利用したものや、マイクロミラーを用いたデバイス等を使用したものであってもよい。
【図面の簡単な説明】
【００７８】
【図１】第１実施形態のプロジェクタを上方前面側から見た斜視図。
【図２】第１実施形態のプロジェクタを下方背面側から見た斜視図。
【図３】第１実施形態のプロジェクタの概略構成を示す平面図。
【図４】光学ユニットの概略構成を示す平面図。
【図５】図３におけるＡ−Ａ断面図。
【図６】図３におけるＢ−Ｂ断面図。
【図７】防塵フィルタ部に付着した塵埃を剥落させる際の動作を説明するブロック図。
【図８】第２実施形態の吸気ユニットの断面図。
【符号の説明】
【００７９】
１…プロジェクタ、１０…筐体、１４…操作パネル、１８…インジケータ部、１９…リモコン受光窓、２３…吸気口、３０…光学ユニット、４０…防塵フィルタ部、４１…フィルタ本体、４２…フィルタ枠、４５…フィルタカバー、５０…ダクトユニット、６０…排気ファン、８０…制御基板、８１…記憶部、８２…音声処理部、８３…温度検知部、８４…制御部、９０…吸気ユニット、９１…ダクト、１１１…光源、４００Ｒ，４００Ｇ，４００Ｂ…液晶ライトバルブ、５１０…ダクト、５１１…導入口、５１２…通気口、５１３…放音口、５２０…シロッコファン、５２１…吸入口、５２２…排出口、５３０…スピーカ、８００…ダクト。
【図１】
2009042506.tif 000003
【図２】
2009042506.tif 000004
【図３】
2009042506.tif 000005
【図４】
2009042506.tif 000006
【図５】
2009042506.tif 000007
【図６】
2009042506.tif 000008
【図７】
2009042506.tif 000009
【図８】
2009042506.tif 000010